(57)【要約】【課題】ピエゾ素子が故障した場合でも、必要とされる振動を得やすいピエゾ駆動装置を提供する。【解決手段】タッチパッド２に設けられる複数のピエゾ素子１３を駆動するピエゾ駆動装置１において、マイクロコンピュータ３から出力されるＰＷＭ出力信号を、そのパルス幅に応じた駆動信号に変換するローパスフィルタ１１と、駆動信号を複数のピエゾ素子１３の静電容量の総量に対応したピエゾ駆動信号に変換し、これを複数のピエゾ素子１３に印加するピエゾ駆動回路１２と、ピエゾ駆動信号を監視信号に変換するＡＤ変換器１４とを備え、マイクロコンピュータ３は、ＡＤ変換器１４から入力される監視信号を解析して複数のピエゾ素子１３における故障の有無を検出し、故障が検出されるときには、タッチパッド２における振動態様が故障前に近づくようにＰＷＭ出力信号のデューティ比を変更するピエゾ駆動装置。【選択図】図１
2013037542.tif 000002
【特許請求の範囲】
【請求項１】
振動対象に設けられる複数のピエゾ素子を駆動するピエゾ駆動装置において、
制御手段から出力されるパルス幅を変調可能とされたＰＷＭ出力を、そのパルス幅に応じた電圧レベルの駆動信号に変換する第１の変換器と、
前記第１の変換器により生成された前記駆動信号を、複数のピエゾ素子の静電容量の総量に対応したピエゾ駆動信号に変換し、これを前記複数のピエゾ素子にそれぞれ印加するピエゾ駆動回路と、
前記ピエゾ駆動信号を監視信号に変換する第２の変換器と、を備え、
前記制御手段は、前記第２の変換器から入力される前記監視信号を解析して前記複数のピエゾ素子における故障の有無を検出し、故障が検出されるときには、前記振動対象における振動態様が故障前に近づくように前記ＰＷＭ出力のデューティ比を変更するピエゾ駆動装置。
【請求項２】
請求項１に記載のピエゾ駆動装置において、
前記制御手段は、前記ピエゾ素子の故障を検出したとき、故障前と比較して前記ＰＷＭ出力のデューティ比を高めるピエゾ駆動装置。
【請求項３】
請求項１又は２に記載のピエゾ駆動装置において、
前記制御手段は、前記ピエゾ素子の故障を検出したとき、故障前の前記ピエゾ駆動信号と同じ波形を示すように前記ＰＷＭ出力のデューティ比を低めるピエゾ駆動装置。
【発明の詳細な説明】
【技術分野】
【０００１】
本発明は、電圧を印加してピエゾ素子を振動させるピエゾ駆動装置に関する。
【背景技術】
【０００２】
従来、平板状のタッチパッドを指でなぞることにより、液晶ディスプレイ等の表示装置（画面）に表示されたマウスポインタの操作を行うタッチ式入力装置が知られている。これは、画面に表示されたマウスポインタの動きが、タッチパッドをなぞる指の動きと対応する。このため、タッチパッドを使用したタッチ式入力装置は、操作が直感的で、多くのユーザにとって扱いやすいものである。また、このようなタッチ式入力装置としては、タッチパッドのような位置入力装置と、液晶ディスプレイ等の表示装置とを組み合わせたタッチパネルも知られている。
【０００３】
このようなタッチ式入力装置は、触れることによって操作を行うものであるため、例えば押しスイッチを押し込んで操作するものと比較すると操作感を感じにくい。そこで、操作感を感じやすくするために、特許文献１には、タッチパネルに設けられた複数のピエゾ素子を駆動するピエゾ駆動装置が開示されている。例えば、タッチパネルがタッチ操作されたとき圧電素子に電圧が発生する。この電圧に基づきタッチ操作が検出される。タッチ操作が検出されるとピエゾ素子に駆動信号が印加される。ピエゾ素子は、駆動信号（駆動電圧）が与えられると振動する。この振動は、タッチパネルを指で操作するユーザへ伝播する。ユーザは、タッチパネルを介して伝播する振動を感じることにより、タッチパネルを操作したことの操作感を得ることができる。なお、ピエゾ素子の振動態様は、入力される駆動電圧の波形によって、決定される。従って、ユーザは、タッチパネルを介して伝播される振動によって、自身がタッチパネルのどの位置を操作したか等を認識することができる。
【先行技術文献】
【特許文献】
【０００４】
【特許文献１】特開平１１−２１２７２５号公報
【発明の概要】
【発明が解決しようとする課題】
【０００５】
特許文献１には、タッチパネルに４つのピエゾ素子が設けられている。これら各ピエゾ素子は、ピエゾ駆動装置に並列接続されている。このため、各ピエゾ素子に印加される駆動電圧は同じである。従って、タッチパネルが振動するとき、各ピエゾ素子の振動態様は同じになる。
【０００６】
しかしながら、例えば、４つのうち１つが故障してしまった場合においては、ピエゾ素子全体の静電容量が低下する。静電容量が低下した場合、図３に示すように、低下前と比べて駆動電圧の立ち上がり時間が早くなることがわかっている。すなわち、駆動電圧が異なるのでピエゾ素子の振動態様も異なる。従って、タッチパネルを介してユーザに伝播される振動も異なる。このため、ユーザは、自身のタッチパネルにおける操作が好適に行えたか否かを判断できないおそれがある。
【０００７】
本発明は、こうした実状に鑑みてなされたものであり、その目的は、ピエゾ素子が故障した場合でも、必要とされる振動を得やすいピエゾ駆動装置を提供することにある。
【課題を解決するための手段】
【０００８】
上記課題を解決するために、請求項１の発明は、振動対象に設けられる複数のピエゾ素子を駆動するピエゾ駆動装置において、制御手段から出力されるＰＷＭ出力を、そのパルス幅に応じた電圧レベルの駆動信号に変換する第１の変換器と、前記第１の変換器により生成された前記駆動信号を、複数のピエゾ素子の静電容量の総量に対応したピエゾ駆動信号に変換し、これを前記複数のピエゾ素子にそれぞれ印加するピエゾ駆動回路と、前記ピエゾ駆動信号を監視信号に変換する第２の変換器と、を備え、前記制御手段は、前記第２の変換器から入力される前記監視信号を解析して前記複数のピエゾ素子における故障の有無を検出し、故障が検出されるときには、前記振動対象における振動態様が故障前に近づくように前記ＰＷＭ出力のデューティ比を変更することを要旨とする。
【０００９】
ピエゾ素子の振動態様、すなわち振動対象物の振動態様は、ピエゾ駆動信号に依存する。ピエゾ駆動振動は、制御手段からのＰＷＭ出力に依存する。制御手段は、ピエゾ素子の故障の有無に応じてＰＷＭ出力のデューティ比を変更する。これにより、駆動信号、さらには、ピエゾ駆動信号の出力が変更される。従って、制御手段は、ＰＷＭ出力のデューティ比の変更を通じて、振動対象物の振動態様を所望の振動態様とすることができる。
【００１０】
請求項２に記載の発明は、請求項１に記載のピエゾ駆動装置において、前記制御手段は、前記ピエゾ素子の故障を検出したとき、故障前と比較して前記ＰＷＭ出力のデューティ比を高めることを要旨とする。
【００１１】
ピエゾ素子が故障した場合、複数のピエゾ素子が協働で振動させる振動対象物における振動の強さが低下する。この点、同構成によれば、制御手段からのＰＷＭ出力の複数のデューティ比は、故障前と比べて高い。第１の変換器において変換される駆動信号の電圧値は、デューティ比の高さに比例する。また、ピエゾ駆動回路から各ピエゾ素子に印加されるピエゾ駆動信号の電圧値の高さは、駆動信号の電圧値の高さに比例する。従って、ＰＷＭ出力のデューティ比が高まれば、各ピエゾ素子に供給されるピエゾ駆動信号の電圧値も高まる。ピエゾ素子の振動の強さは、印加されるピエゾ駆動信号の電圧値の大きさに比例する。このため、各ピエゾ素子の振動が故障前と比べて強くなるので、複数のピエゾ素子が協働で振動させる振動対象物の振動の強さを故障前と比べて維持することができる。
【００１２】
請求項３に記載の発明は、請求項１又は２に記載のピエゾ駆動装置において、前記制御手段は、前記ピエゾ素子の故障を検出したとき、故障前の前記ピエゾ駆動信号と同じ波形を示すように前記ＰＷＭ出力のデューティ比を低めることを要旨とする。
【００１３】
ピエゾ素子が故障した場合、ピエゾ素子の静電容量の総量が低下するため、ピエゾ駆動回路が各ピエゾ素子に印加するピエゾ駆動信号の電圧の立ち上がりが早まる。各ピエゾ素子の振動の仕方は、ピエゾ駆動信号の波形に依存する。このため、ピエゾ駆動信号の電圧の立ち上がりが早まって波形が変化すると、ピエゾ素子の振動の仕方が変化する。この点、同構成によれば、ＰＷＭ出力のデューティ比を低めることで、ピエゾ駆動回路に入力される駆動信号の電圧値が低くなる。ピエゾ駆動信号の電圧値の高さは、駆動信号の電圧値の高さに依存するので、駆動信号の電圧値が低くなれば、ピエゾ駆動信号の電圧値も低くなる。これにより、立ち上がりが早まった分の電圧の高さを抑えることができる。従って、ピエゾ素子の故障後でも、故障前と同じピエゾ駆動信号をピエゾ素子に供給することができる。このため、振動対象物の振動態様が同じとなる。
【発明の効果】
【００１４】
本発明では、ピエゾ素子が故障した場合でも、必要とされる振動を得やすいピエゾ駆動装置を提供することができる。
【図面の簡単な説明】
【００１５】
【図１】本実施形態におけるタッチ式入力装置の概略構成を示すブロック図。
【図２】（ａ）はピエゾ素子が４つの場合、（ｂ）はピエゾ素子が３つの場合、（ｃ）はピエゾ素子が３つであるが、（ａ）（ｂ）に比べて供給される電圧値が高い場合のピエゾ駆動信号の波形図。
【図３】静電容量の大小における駆動電圧の立ち上がり波形を示す波形図。
【発明を実施するための形態】
【００１６】
以下、本発明のピエゾ駆動装置を、タッチパッドを採用したタッチ式入力装置に具体化した一実施形態について図１〜２に従って説明する。
＜タッチ式入力装置の構成＞
図１に示すように、タッチ式入力装置１は、タッチパッド２、マイクロコンピュータ３、ディスプレイ４、及びピエゾ駆動装置５を備える。タッチパッド２は、表面にユーザの指が触れる等して、静電容量が変化した場合に、その触れた位置の位置情報を示す電気信号を出力する。タッチパッド２は、マイクロコンピュータ３と電気的に接続されている。マイクロコンピュータ３は、ディスプレイ４の表示を統括的に制御する。マイクロコンピュータ３は、タッチパッド２により生成される電気信号に基づきタッチパッド２においてユーザの指が触れた位置を特定すると、その位置に対応するようにディスプレイ４に表示させているマウスポインタを移動させる。また、マイクロコンピュータ３は、タッチパッド２により生成される電気信号に基づきピエゾ駆動装置５も制御する。
【００１７】
ピエゾ駆動装置５は、ローパスフィルタ１１、及びピエゾ駆動回路１２を備える。ピエゾ駆動回路１２は、ローパスフィルタ１１を介してマイクロコンピュータ３に接続されている。４つのピエゾ素子１３は、電圧が印加されると振動するものである。各ピエゾ素子１３は、ピエゾ駆動回路１２に対して並列接続されるとともに、タッチパッド２の裏面に取り付けられている。
【００１８】
ユーザは、タッチパッド２を通じてディスプレイ４に表示されるマウスポインタを操作する。このとき、そのマウスポインタが同じくディスプレイ４に表示されているアイコン上に一定時間存在した場合に、マイクロコンピュータ３は、ユーザがアイコンを選択したと認識する。そして、マイクロコンピュータ３は、アイコンが選択されたことをユーザに報知するためにＰＷＭ出力信号を生成する。マイクロコンピュータ３には、メモリ３ａが設けられており、このメモリ３ａには、ピエゾ素子１３の個数及びアイコンに応じた変調比が記憶されている。変調比とは、マイクロコンピュータ３が生成するＰＷＭ出力信号におけるパルス幅の変調割合のことである。マイクロコンピュータ３は、マウスポインタが選択するアイコンに応じてメモリ３ａから変調比を読み込む。そして、その変調比を有するＰＷＭ出力信号を生成する。なお、メモリ３ａに記憶されている変調比は、駆動するピエゾ素子１３が少なくなる場合ほど、電圧を印加するパルス幅（デューティ比）がそれぞれ大きくなるように設定されている。これは、電圧を印加するパルス幅が大きいほど、ピエゾ素子１３に印加する電圧レベルが高くなるためである。ピエゾ素子１３における振動の強さは、ピエゾ素子１３に印加される電圧値の高さに比例する。また、タッチパッド２における振動の強さは、ピエゾ素子１３の振動の強さと数に比例する。すなわち、タッチパッド２における振動の強さは、ピエゾ素子１３の数とピエゾ素子１３に印加される電圧値の高さに比例しているからである。換言すれば、ピエゾ素子１３の数が少ない場合には、各ピエゾ素子１３に印加する電圧値を高くすることで、各ピエゾ素子１３を強く振動させ、逆にピエゾ素子１３の数が多い場合には、各ピエゾ素子１３に印加する電圧値を低くすることで、各ピエゾ素子１３を弱く振動させることで、タッチパッド２における振動の強さを維持することができる。
【００１９】
ローパスフィルタ１１は、ＰＷＭ出力信号のパルス幅を電圧に変換した駆動信号を出力する。ローパスフィルタ１１が変換する駆動信号の波形（電圧値）は、ＰＷＭ出力信号の変調比、詳しくはデューティ比の高さに依存する。
【００２０】
ピエゾ駆動回路１２は、入力された駆動信号をピエゾ素子１３の静電容量に応じて調整する。ピエゾ素子１３は、静電容量を有することから、ピエゾ駆動回路１２が出力するピエゾ駆動信号は、駆動信号に対して電圧の立ち上がりに時間がかかる。このため、ピエゾ駆動信号がピエゾ素子１３に印加される時間は、駆動信号がピエゾ駆動回路１２に印加される時間に比べて長くなる。
【００２１】
４つのピエゾ素子１３には、ピエゾ駆動回路１２からのピエゾ駆動信号がそれぞれ印加される。ピエゾ素子１３は、ピエゾ駆動信号の波形に応じて振動する。ピエゾ素子１３は、タッチパッド２の裏面に取り付けられているので、ピエゾ素子１３の振動は、タッチパッド２に伝播する。タッチパッド２は、ユーザの指で操作されているので、タッチパッド２に伝播した振動は、ユーザにも伝播する。ユーザは、タッチパッド２を介して伝わる振動を通じて、自身の操作したマウスポインタがどのアイコンを選択したのか認識することができる。
【００２２】
このピエゾ駆動装置５には、アナログ信号をデジタル信号の変換するアナログデジタル変換器（以下、ＡＤ変換器）１４が設けられている。ＡＤ変換器１４は、ピエゾ駆動回路１２とマイクロコンピュータ３との間に接続されている。ＡＤ変換器１４は、ピエゾ駆動回路１２から出力されたピエゾ駆動信号をデジタル信号である監視信号に変換する。マイクロコンピュータ３は、監視信号のデューティ比の認識を通じて、ピエゾ駆動信号の波形を監視する。
【００２３】
＜ピエゾ駆動装置の作用＞
さて、例えば、４つあるピエゾ素子１３の一つが故障した場合、タッチパッド２を振動させるピエゾ素子１３の数が減るので、タッチパッド２の振動の強さが弱まる。このとき、各ピエゾ素子１３の静電容量の総量が少なくなる。このため、ピエゾ駆動回路１２から出力されるピエゾ駆動信号の波形は、図２（ａ）に示す波形から、同波形に比べて電圧値の立ち上がり時間の早い図２（ｂ）に示す波形に変化する。このとき、ピエゾ駆動信号は、ＡＤ変換器１４により監視信号に変換されてマイクロコンピュータ３に入力される。マイクロコンピュータ３は、監視信号の変調比が、ピエゾ素子１３の故障前の変調比と比較して、デューティ比が高くなった部分が増加したことを通じて、ピエゾ素子１３の一つが故障したことを認識する。ピエゾ素子１３の故障を認識したマイクロコンピュータ３は、メモリ３ａから、ピエゾ素子１３が３つの場合の変調比を読み込む。ピエゾ素子１３が３つの場合の変調比は、４つの場合と比べて各デューティ比が高く設定されている。そして、この変調比を有するＰＷＭ出力信号を出力する。これにより、ピエゾ駆動回路１２に入力される駆動信号の波形が電圧値の高い波形に変化する。従って、ピエゾ駆動回路１２から出力されるピエゾ駆動信号の波形も図２（ｂ）に示す波形から、この波形に比べて電圧値の高い図２（ｃ）に示す波形に変化する。３つのピエゾ素子１３には、４つの場合に比べて高い電圧が印加される。従って、ピエゾ素子１３が３つになった場合、各ピエゾ素子１３の振動は、４つの場合に比べて強くなる。
【００２４】
各ピエゾ素子１３が同じ強さで振動する場合、タッチパッド２における振動の強さは、振動を伝達するピエゾ素子１３の数に比例する。このため、駆動するピエゾ素子１３が３つの場合には、ピエゾ素子１３が４つの場合に比べて、タッチパッド２の振動が弱くなる。一方、本例では、駆動するピエゾ素子１３が３つとなった場合には、４つの場合よりも高い電圧を印加するようにした。これにより、ピエゾ素子１３が３つとなった場合、４つの場合のときよりも振動の強さが強くなる。従って、タッチパッド２を振動させるピエゾ素子１３の数が減ったものの各ピエゾ素子１３は強く振動するので、ピエゾ素子１３の数が３つの場合でも、４つの場合と同等の強さでタッチパッド２を振動させることができる。
【００２５】
以上詳述したように、本実施形態によれば、以下に示す効果が得られるようになる。
（１）アナログ信号をデジタル信号に変換するＡＤ変換器１４をピエゾ駆動回路１２とマイクロコンピュータ３との間に接続した。ピエゾ駆動回路１２から出力される駆動信号は、ＡＤ変換器１４を通じて監視信号に変換されてマイクロコンピュータ３に入力される。マイクロコンピュータ３は、監視信号の解析を通じて、ピエゾ素子１３が故障したか否かを判断する。マイクロコンピュータ３は、ピエゾ素子１３の故障の有無に応じて、ＰＷＭ出力信号の変調比を設定する。変調比とは、マイクロコンピュータ３が生成するＰＷＭ出力信号におけるパルス幅の変調割合のことである。ピエゾ駆動回路１２に入力される駆動信号の電圧値は、マイクロコンピュータ３からローパスフィルタ１１に入力するＰＷＭ出力信号のデューティ比の高さに比例する。すなわち、ＰＷＭ出力信号において、変調比を調整することで駆動信号の電圧値を調整することができる。このため、マイクロコンピュータ３は、ピエゾ素子１３に故障が有る場合であれ、ＰＷＭ出力信号の変調比を変更することで、ユーザのタッチパッド２の操作を通じて操作されるマウスポインタがどのアイコンを選択したのか好適にユーザへ報知することができる。
【００２６】
（２）マイクロコンピュータ３は、ピエゾ素子１３の故障を認識した場合、故障後におけるＰＷＭ出力信号のデューティ比を高くするようにした。従って、ピエゾ駆動回路１２からピエゾ素子１３に印加されるピエゾ駆動信号の電圧値も高くなる。これにより、ピエゾ素子１３の振動の強さも強くなる。このため、タッチパッド２を振動させるピエゾ素子１３の数が減った場合でも、タッチパッド２の振動の強さを維持することができる。これにより、マウスポインタは、ユーザの意図するアイコンを選択しているにもかかわらず、意図しないアイコン選択したと誤認することが抑制される。
【００２７】
なお、上記実施形態は以下のように変更してもよい。
・上記実施形態において、マイクロコンピュータ３は、タッチパッド２における振動の強さを維持するために、ピエゾ素子１３が故障した場合には、ＰＷＭ出力信号の各デューティ比を高めた。これに対し、タッチパッド２の振動の仕方を維持するために、ピエゾ駆動信号の立ち上がりが早まった分だけ、ＰＷＭ出力信号のデューティ比を低くするようにしてもよい。すなわち、ピエゾ駆動回路１２から出力されるピエゾ駆動信号の波形が、図２（ｂ）に示す波形から図２（ａ）に示す波形となるようにすればよい。このようにすれば、ピエゾ素子１３の数が３つとなった場合でも、４つの場合と同じピエゾ駆動信号が各ピエゾ素子１３に印加される。ピエゾ素子１３の振動の仕方は、ピエゾ駆動信号の波形に依存する。タッチパッド２の振動の仕方は、ピエゾ素子１３の振動の仕方に依存する。従って、ピエゾ素子１３が故障した場合であれ、タッチパッド２における振動の仕方が維持できる。これにより、マウスポインタが、意図しないアイコン選択したと誤認することが抑制される。
【００２８】
・上記実施形態において、上記別例を組み合わせても良い。このようにすれば、ピエゾ素子１３が故障した場合であれ、タッチパッド２の振動の強さ、及び振動の仕方を維持することができる。従って、上記実施形態の効果（１）（２）及び上記別例の効果と同様の効果を得ることができる。
【００２９】
・上記実施形態において、マイクロコンピュータ３から出力されたＰＷＭ出力信号は、ローパスフィルタ１１を介してピエゾ駆動回路１２に入力されたが、ＰＷＭ出力信号のパルス幅を電圧に変換した信号を出力するもの、例えばフィルタ回路等であればよい。このように構成しても、上記実施形態と同様の効果を得ることができる。
【００３０】
・上記実施形態では、４つのピエゾ素子１３がある場合について説明したが、４つに限らず、複数あればよい。
・上記実施形態において、タッチパッド２は、静電容量の変化によってユーザの接触を検出したが、この方式による検出に限定されるものではない。例えば、接触時の圧力の変化を検出するものであってもよい。このように構成しても、上記実施形態と同様の効果を得ることができる。
【００３１】
・上記実施形態では、ピエゾ素子１３が振動させる対象は、タッチパッド２に限らず、例えば、ディスプレイと組み合わされたタッチパネルであってもよい。このように構成しても、上記実施形態と同様の効果を得ることができる。
【００３２】
次に、上記実施形態及び別例から把握できる技術的思想について以下に追記する。
（イ）ユーザにタッチ操作される板状のタッチ操作部と、前記タッチ操作部においてタッチされた位置情報を出力する位置情報出力手段と、前記位置情報出力手段から供給される位置情報を基にディスプレイの表示を制御する画像制御手段と、請求項１〜３のうちいずれか一項に記載のピエゾ駆動装置を備え、前記振動対象物は、前記タッチ操作部であって、前記制御手段は、前記位置情報に基づき認識されるタッチ位置に応じて前記ＰＷＭ出力を生成するタッチ式入力装置。
【００３３】
板状のタッチ操作部へのタッチ操作は、例えば押しスイッチを押し込んで操作するものと比較すると操作感を感じにくい。その点、同構成によれば、タッチ操作部において、ユーザが特定の位置をタッチ操作すれば、タッチ操作部が振動する。これにより、ユーザは、特定の位置をタッチ操作した操作感を得やすい。
【００３４】
（ロ）上記（イ）において、上記タッチ操作部は、ディスプレイが組み合わされたタッチパネルであるタッチ式入力装置。
同構成によれば、ユーザは、ディスプレイと操作する手元とを視野にいれることができる。このため、ユーザは、自身の操作を視覚と触覚との両方から確認しやすい。
【符号の説明】
【００３５】
１…タッチ式入力装置、２…タッチ操作部としてのタッチパッド、３…制御手段としてのマイクロコンピュータ、３ａ…メモリ、４…ディスプレイ、５…ピエゾ駆動装置、６…位置情報出力手段としての静電センサ、１１…第１の変換器としてのローパスフィルタ、１２…ピエゾ駆動回路、１３…ピエゾ素子、１４…第２の変換器としてのＡＤ変換器。
【図１】
2013037542.tif 000003
【図２】
2013037542.tif 000004
【図３】
2013037542.tif 000005